(57)【要約】【課題】文書管理サーバと文書管理クライアントの間で、管理文書の提供等の取引がチケットの授受と共になされる文書管理システムにつき、チケットを、ネットワークを介して授受する際にも暗号化する必要がないものとして、比較的少量のデータにより構成すること。【解決手段】文書管理サーバと第１文書管理クライアントと第２文書管理クライアントとを備える文書管理システムにおける文書管理サーバ又は第１文書管理クライアント又は第２文書管理クライアントとしての情報処理を実行して、文書管理サーバ又は第１文書管理クライアント又は第２文書管理クライアントとして機能する情報処理装置であって、各文書に係るチケットは各文書に対応するハッシュ値又はランダム値であることを特徴とする情報処理装置。【選択図】　　図２
2004110732.tif 000002
【特許請求の範囲】
【請求項１】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける文書管理サーバとしての情報処理を実行して、文書管理サーバとして機能する情報処理装置であって、各文書に係るチケットは各文書に対応するハッシュ値又はランダム値であることを特徴とする情報処理装置。
【請求項２】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける文書管理サーバとしての情報処理をコンピュータに実行させて、文書管理サーバとしてコンピュータを機能させる情報処理プログラムであって、各文書に係るチケットは各文書に対応するハッシュ値又はランダム値であることを特徴とする情報処理プログラム。
【請求項３】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第１文書管理クライアントとしての情報処理を実行して、第１文書管理クライアントとして機能する情報処理装置であって、各文書に係るチケットは各文書に対応するハッシュ値又はランダム値であることを特徴とする情報処理装置。
【請求項４】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第１文書管理クライアントとしての情報処理をコンピュータに実行させて、第１文書管理クライアントとしてコンピュータを機能させる情報処理プログラムであって、各文書に係るチケットは各文書に対応するハッシュ値又はランダム値であることを特徴とする情報処理プログラム。
【請求項５】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第２文書管理クライアントとしての情報処理を実行して、第２文書管理クライアントとして機能する情報処理装置であって、各文書に係るチケットは各文書に対応するハッシュ値又はランダム値であることを特徴とする情報処理装置。
【請求項６】
文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第２文書管理クライアントとしての情報処理をコンピュータに実行させて、第２文書管理クライアントとしてコンピュータを機能させる情報処理プログラムであって、各文書に係るチケットは各文書に対応するハッシュ値又はランダム値であることを特徴とする情報処理プログラム。
【発明の詳細な説明】
【０００１】
【発明の属する技術分野】
本発明は、情報処理装置及び情報処理プログラムに関する。
【０００２】
【従来の技術】
現在、市販のコンピュータでは様々な電子文書を利用することができる。これに伴って、これら文書を管理する「文書管理技術」も発展しつつある。例えば、文書管理サーバが文書を管理して、文書管理クライアントがこの文書を利用するような「文書管理技術」が普及しつつある。これら「文書管理サーバ」と「文書管理クライアント」により構成される「文書管理システム」について考察する。
【０００３】
上記の文書管理システムでは、文書管理クライアントが文書サーバへある管理文書の提供を要求して、文書管理サーバが文書管理クライアントへその管理文書を提供するなどの取引がなされる。例えば、文書管理クライアントがパソコンであればその管理文書の編集等のため、文書管理クライアントがプリンタであればその管理文書の印刷等のため、このような取引がなされる。
【０００４】
ここで、このような取引には制限を設けることがある。例えば、管理文書ごとに提供制限を設けておき、文書管理クライアントが文書サーバへある管理文書の提供を要求した場合、その文書管理クライアントがその管理文書の提供制限をクリアする場合にのみ、文書管理サーバが文書管理クライアントへその管理文書を提供するのである。
【０００５】
さらに、このような制限には例外を設けることがある。例えば、管理文書ごとに提供制限を設けておき、文書管理クライアントが文書管理サーバへある管理文書の提供をその管理文書に係る「チケット」と共に要求した場合、その文書管理クライアントがその管理文書の提供制限をクリアしない場合であっても、文書管理サーバが文書管理クライアントへその管理文書を提供するのである。
【０００６】
各チケットは各管理文書と対応するデータであり、文書管理サーバが文書管理クライアントへ各管理文書に係るチケットを提供する。管理文書に提供制限を設けるからには、管理文書に係るチケットにも提供制限を設けることが多い。チケットの機能からして、ある管理文書の提供制限をクリアしない文書管理クライアントは、その管理文書に係るチケットの提供制限もクリアしないことが多い。
【０００７】
したがって、ある管理文書に係るチケットは、文書管理サーバからその管理文書に係るチケットの提供制限をクリアする文書管理クライアントへと提供され、そこからその管理文書の提供制限をクリアしない文書管理クライアントへと直接的又は間接的に提供される。これにより、その文書管理クライアントは文書管理サーバへその管理文書の提供をそのチケットと共に要求できるのである。
【０００８】
特許３２１８０１７号公報には、チケット（当該公報では「証明書」と呼ぶ）が、ファイルサーバ（文書管理サーバ）からコンピュータ（文書管理クライアント）へと提供され、そこからプリントサーバ（文書管理クライアント）へと提供されるネットワークシステム（文書管理システム）が記載されている。これにより、管理文書そのものは、上記のコンピュータを経由せずに、上記のファイルサーバから上記のプリントサーバへと提供される。
【０００９】
【特許文献１】
特許３２１８０１７号公報
【特許文献２】
特開２００１−９２８１２号公報
【特許文献３】
特開２００１−２９７３００号公報。
【００１０】
【発明が解決しようとする課題】
ここで、チケットのデータ構成について説明する。
【００１１】
図１は、特許３２１８０１７号公報に記載のチケット１１を表す。図１のチケット１１は、文書管理サーバのＩＤ１２、管理文書ファイルへのパス１３、文書管理サーバのデジタル署名１４、チケットの有効期限１５、チケットの通し番号１６等の重要なデータにより構成される。
【００１２】
このように、図１のチケット１１は重要なデータにより構成されるため、ネットワークを介して授受する際には暗号化する必要がある。しかし、チケットを暗号化することが、コンピュータにとっての負荷となってしまう。さらに、チケットを構成するデータが大量になると、チケットをネットワークを介して授受することそのものが、ネットワークにとっての負荷となってしまう。
【００１３】
したがって、本発明は、文書管理サーバと文書管理クライアントの間で、管理文書の提供等の取引がチケットの授受と共になされる文書管理システムにつき、チケットを、ネットワークを介して授受する際にも暗号化する必要がないものとして、比較的少量のデータにより構成することを課題とする。
【００１４】
【課題を解決するための手段】
請求項１に記載の発明（情報処理装置）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける文書管理サーバとしての情報処理を実行して、文書管理サーバとして機能する情報処理装置であって、各文書に係るチケットは各文書に対応するハッシュ値又はランダム値である。
【００１５】
請求項２に記載の発明（情報処理プログラム）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける文書管理サーバとしての情報処理をコンピュータに実行させて、文書管理サーバとしてコンピュータを機能させる情報処理プログラムであって、各文書に係るチケットは各文書に対応するハッシュ値又はランダム値である。
【００１６】
請求項３に記載の発明（情報処理装置）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第１文書管理クライアントとしての情報処理を実行して、第１文書管理クライアントとして機能する情報処理装置であって、各文書に係るチケットは各文書に対応するハッシュ値又はランダム値である。
【００１７】
請求項４に記載の発明（情報処理プログラム）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第１文書管理クライアントとしての情報処理をコンピュータに実行させて、第１文書管理クライアントとしてコンピュータを機能させる情報処理プログラムであって、各文書に係るチケットは各文書に対応するハッシュ値又はランダム値である。
【００１８】
請求項５に記載の発明（情報処理装置）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第２文書管理クライアントとしての情報処理を実行して、第２文書管理クライアントとして機能する情報処理装置であって、各文書に係るチケットは各文書に対応するハッシュ値又はランダム値である。
【００１９】
請求項６に記載の発明（情報処理プログラム）は、文書管理サーバと第１文書管理クライアントと第２文書管理クライアントとを備える文書管理システムであって、文書管理サーバは第１文書管理クライアントへある文書に係るチケットを提供する情報処理を実行し、第１文書管理クライアントは第２文書管理クライアントへそのチケットを提供する情報処理を実行し、第２文書管理クライアントは文書管理サーバへその文書に係る情報処理をそのチケットと共に要求する情報処理を実行し、文書管理サーバはそのチケットと共に要求されたその文書に係るその情報処理を実行する文書管理システムにおける第２文書管理クライアントとしての情報処理をコンピュータに実行させて、第２文書管理クライアントとしてコンピュータを機能させる情報処理プログラムであって、各文書に係るチケットは各文書に対応するハッシュ値又はランダム値である。
【００２０】
請求項１乃至６のいずれか１項に記載の発明（情報処理装置又は情報処理プログラム）は、上記の文書管理システムの文書管理サーバ又は第１文書管理クライアント又は第２文書管理クライアントとなることができる、又は、コンピュータを上記の文書管理システムの文書管理サーバ又は第１文書管理クライアント又は第２文書管理クライアントとすることができる。上記の文書管理システムでは、各文書に係るチケットは各文書に対応するハッシュ値又はランダム値であることから、ネットワークを介して授受する際にも暗号化する必要がないものであり、比較的少量のデータにより構成することができる。
【００２１】
【発明の実施の形態】
本発明の実施の形態について説明する。
【００２２】
図２は、文書管理システムを表す。図２の文書管理システムは、文書を管理する文書管理サーバ２１と、文書を利用する第１文書管理クライアント２２と、文書を利用する第２文書管理クライアント２３により構成される。これらは、ネットワークを介して互いに接続されているとする。
【００２３】
文書管理サーバ２１は、ここではパソコンであるとする。このパソコンは、本発明に係る「情報処理装置」の実施の形態の例であり、図２の文書管理システムにおいて、文書管理サーバ２１としての情報処理（第１文書管理クライアント２２へのチケットの提供、第２文書管理クライアント２３への管理文書の提供等）を実行して、文書管理サーバ２１として機能する。
【００２４】
第１文書管理クライアント２２は、ここではパソコンであるとする。このパソコンは、本発明に係る「情報処理装置」の実施の形態の例であり、図２の文書管理システムにおいて、第１文書管理クライアント２２としての情報処理（第２文書管理クライアント２３へのチケットの提供等）を実行して、第１文書管理クライアント２２として機能する。
【００２５】
第２文書管理クライアント２３は、ここではマイコンを搭載するプリンタであるとする。このプリンタは、本発明に係る「情報処理装置」の実施の形態の例であり、図２の文書管理システムにおいて、第２文書管理クライアント２３としての情報処理（文書管理サーバ２１への管理文書の提供要求等）を実行して、第２文書管理クライアント２３として機能する。
【００２６】
さて、詳細は後述するが、文書管理サーバ２１は「内部チケット」と「外部チケット」の２種類の「チケット」を情報処理の対象にする。
【００２７】
内部チケットと外部チケットは、各内部チケットも各外部チケットも各管理文書に対応するデータである点で共通するが、内部チケットは管理文書のＩＤやチケットの有効期限から構成され、外部チケットは内部チケットから計算されるハッシュ値又はランダム値である点で相違する。内部チケットは、文書管理サーバ２１が内部で管理するチケットであり、外部チケットは、文書管理サーバ２１が外部（第１文書管理クライアント２２）へ提供するチケットである。
【００２８】
（１）チケットの生成
第１文書管理クライアント２２のユーザは、ある管理文書に係るチケットを取得したい場合、第１文書管理クライアント２２にその旨を入力する。この入力に応じて、第１文書管理クライアント２２は文書管理サーバ２１へその管理文書に係るチケットの提供をその管理文書のＩＤと共に要求する。この要求は、図２の矢印Ａに相当するものであり、ネットワークを介して行われる。
【００２９】
この要求に応じて、文書管理サーバ２１はチケットを生成する。図４は、チケットの生成処理を表す。文書管理サーバ２１は、まずＩＤから管理文書を特定した後、その管理文書に係る内部チケットを生成（Ｓ４１）し、その内部チケットからハッシュ値を計算（Ｓ４２）し、内部チケットとハッシュ値を「チケット管理表」に登録（Ｓ４３）する。なお、図３のように、Ｓ４１・Ｓ４２は文書管理サーバ２１のチケット生成処理部３１により実行され、Ｓ４３は文書管理サーバ２１のチケット登録処理部により実行される。
【００３０】
Ｓ４１において、内部チケットには管理文書のＩＤやチケットの有効期限のほか、チケットの生成日も包含させる。Ｓ４２において、ハッシュ値の計算にはＭＤ５やＳＨＡ等のハッシュ関数を使用する。Ｓ４３において、チケット管理表には内部チケットとハッシュ値の対応関係も登録しておく。この対応関係を参酌すれば、ハッシュ値から対応する内部チケットを特定することができる。
【００３１】
なお、Ｓ４２にて、ハッシュ値の代わりにランダム値を計算してもよい。これにより、ハッシュ値を計算する必要がなくなり、文書管理サーバ２１の負荷が軽減される。このランダム値は数字列でも文字列でもよい。また、Ｓ４３にて、内部チケットの他にハッシュ値や対応関係を登録することは、有用ではあるが必須ではないため、これらのうち内部チケットのみを登録して、ハッシュ値は必要に応じて計算してもよい。これにより、記憶媒体のデータ総量が抑制される。
【００３２】
最終的に、文書管理サーバ２１は第１文書管理クライアント２２へハッシュ値（又はランダム値）を提供する。このハッシュ値（又はランダム値）が、上記の管理文書に係る「チケット」である。この「チケット」は、上記の「内部チケット」との区別のため、先述のように「外部チケット」と呼ぶことにする。この提供は、図２の矢印Ｂに相当するものであり、ネットワークを介して行われる。
【００３３】
（２）チケットの更新
外部チケット（ハッシュ値）の有効期限は、対応する内部チケットに包含される「チケットの有効期限」により規定される。その有効期限後には、その外部チケット（ハッシュ値）は使用できなくなる。しかし、その有効期限内にチケットを更新することにより、その有効期限を延長することができる。
【００３４】
第１文書管理クライアント２２のユーザは、あるチケットを更新したい場合、第１文書管理クライアント２２にその旨を入力する。この入力に応じて、第１文書管理クライアント２２は文書管理サーバ２１へそのチケットの更新をそのハッシュ値と共に要求する。この要求は、図２の矢印Ａと同様に、ネットワークを介して行われる。
【００３５】
この要求に応じて、文書管理サーバ２１はチケットを更新する。図５は、チケットの更新処理を表す。文書管理サーバ２１は、チケット管理表を参酌してハッシュ値から対応する内部チケットを特定（Ｓ５１）し、その内部チケットの有効期限内である場合は、その内部チケットを更新（Ｓ５２）することにより、その有効期限を延長する。さらに、その新内部チケットからハッシュ値を計算（Ｓ５３）し、新内部チケットとハッシュ値をチケット管理表に登録（Ｓ５４）し、旧内部チケットをチケット管理表から削除（Ｓ５５）する。
【００３６】
Ｓ５２において、新内部チケットには管理文書のＩＤやチケットの有効期限のほか、チケットの更新日も包含させる。Ｓ５３において、ハッシュ値の計算にはＭＤ５やＳＨＡ等のハッシュ関数を使用する。Ｓ５４において、チケット管理表には新内部チケットとハッシュ値の対応関係も登録しておく。この対応関係を参酌すれば、ハッシュ値から対応する内部チケットを特定することができる。
【００３７】
なお、Ｓ４２と同様に、Ｓ５３にて、ハッシュ値の代わりにランダム値を計算してもよい。また、Ｓ４３と同様に、Ｓ５４にて、新内部チケットとハッシュ値と対応関係を登録する代わりに、これらのうち新内部チケットのみを登録して、ハッシュ値は必要に応じて計算してもよい。
【００３８】
最終的に、文書管理サーバ２１は第１文書管理クライアント２２へハッシュ値（又はランダム値）を再提供する。この再提供は、図２の矢印Ｂと同様に、ネットワークを介して行われる。
【００３９】
（３）チケットによる管理文書の提供
ある管理文書に係る外部チケット（ハッシュ値）は、文書管理サーバ２１へその管理文書の提供を要求して、文書管理サーバ２１にその管理文書を提供させるなど、文書管理サーバ２１にその管理文書に係る各種の情報処理を要求して、文書管理サーバ２１にその情報処理を実行させるために使用される。ここでは、第２文書管理クライアント２３である「プリンタ」へある管理文書に係る外部チケット（ハッシュ値）を提供して、これにより、文書管理サーバ２１からその管理文書を取得させて印刷させる場合について説明する。
【００４０】
第１文書管理クライアント２２のユーザは、上述のような場合、第１文書管理クライアント２２にその旨を入力する。この入力に応じて、第１文書管理クライアント２２は第２文書管理クライアント２３へその管理文書に係る外部チケット（ハッシュ値）を提供する。この際に、上述のような旨を要求する。この提供等は、図２の矢印Ｃに相当するものであり、ネットワークを介して行われる。
【００４１】
この提供等に応じて、第２文書管理クライアント２３は文書管理サーバ２１へその管理文書の提供をその外部チケット（ハッシュ値）と共に要求する。この要求は、図２の矢印Ｄに相当するものであり、ネットワークを介して行われる。
【００４２】
この要求に応じて、文書管理サーバ２１は管理文書を提供する。図６は、チケットによる管理文書の提供処理を表す。文書管理サーバ２１は、チケット管理表を参酌してハッシュ値から内部チケットを特定（Ｓ６１）し、さらにその内部チケットから管理文書のＩＤを特定（Ｓ６２）し、さらにそのＩＤから管理文書を特定（Ｓ６３）する。そして、文書管理サーバ２１は第２文書管理クライアント２３へその管理文書を提供する。この提供は、図２の矢印Ｅに相当するものであり、ネットワークを介して行われる。
【００４３】
この提供に応じて、第２文書管理クライアント２３はその管理文書を印刷し、第１文書管理クライアント２２にその結果を通知する。この通知は、図２の矢印Ｆに相当するものであり、ネットワークを介して行われる。
【００４４】
（４）チケットの削除
外部チケット（ハッシュ値）の有効期限は、対応する内部チケットに包含される「チケットの有効期限」により規定される。その有効期限後には、その外部チケット（ハッシュ値）は使用できなくなる。しかし、その有効期限内にチケットを削除することにより、その有効期限を終了させることができる。
【００４５】
第１文書管理クライアント２２のユーザは、あるチケットを削除したい場合、第１文書管理クライアント２２にその旨を入力する。この入力に応じて、第１文書管理クライアント２２は文書管理サーバ２１へそのチケットの削除をそのハッシュ値と共に要求する。この要求は、図２の矢印Ａと同様に、ネットワークを介して行われる。
【００４６】
この要求に応じて、文書管理サーバ２１はチケットを削除する。図７は、チケットの削除処理を表す。文書管理サーバ２１は、チケット管理表を参酌してハッシュ値から対応する内部チケットを特定（Ｓ７１）し、その内部チケットの有効期限内である場合は、その内部チケットをチケット管理表か削除（Ｓ７２）することにより、その有効期限を終了させる。
【００４７】
（本発明の実施の形態）
本発明の実施の形態について総括する。
【００４８】
図２の文書管理システムにおいて、文書管理サーバ２１はここではパソコンであり、第１文書管理クライアント２２はここではパソコンであり、第２文書管理クライアント２３はここではマイコンを搭載するプリンタであるとした。上述のように、これらはそれぞれ、本発明に係る「情報処理装置」の実施の形態の例である。さらに、これらにより実行される情報処理方法をコンピュータに実行させる情報処理プログラムはそれぞれ、本発明に係る「情報処理プログラム」の実施の形態の例である。
【００４９】
これら情報処理装置は、図２の文書管理システムの文書管理サーバ２１又は第１文書管理クライアント２２又は第２文書管理クライアント２３となることができる。これら情報処理プログラムは、コンピュータを図２の文書管理システムの文書管理サーバ２１又は第１文書管理クライアント２２又は第２文書管理クライアント２３とすることができる。図２の文書管理システムでは、各管理文書に係る外部チケットは各管理文書に対応するハッシュ値又はランダム値であることから、ネットワークを介して授受する際にも暗号化する必要がないものであり、比較的少量のデータにより構成することができる。
【００５０】
【発明の効果】
このように、本発明は、文書管理サーバと文書管理クライアントの間で、管理文書の提供等の取引がチケットの授受と共になされる文書管理システムにつき、チケットを、ネットワークを介して授受する際にも暗号化する必要がないものとして、比較的少量のデータにより構成することを可能にする。
【図面の簡単な説明】
【図１】従来のチケットを表す。
【図２】文書管理システムを表す。
【図３】チケットの生成処理を表す。
【図４】チケットの生成処理を表す。
【図５】チケットの更新処理を表す。
【図６】チケットによる管理文書の提供処理を表す。
【図７】チケットの削除処理を表す。
【符号の説明】
１１　チケット
１２　文書管理サーバのＩＤ
１３　管理文書ファイルへのパス
１４　文書管理サーバのデジタル署名
１５　チケットの有効期限
１６　チケットの通し番号
２１　文書管理サーバ（パソコン）
２２　第１文書管理クライアント（パソコン）
２３　第２文書管理クライアント（プリンタ）
３１　チケット生成処理部
３２　チケット登録処理部
【図１】
2004110732.tif 000003
【図２】
2004110732.tif 000004
【図３】
2004110732.tif 000005
【図４】
2004110732.tif 000006
【図５】
2004110732.tif 000007
【図６】
2004110732.tif 000008
【図７】
2004110732.tif 000009